(57)【要約】【課題】ポイント割増ラベルに基づいたポイント付与を効率的に行うこと。【解決手段】撮像手段が撮像した画像を取り込む画像取込手段と、前記画像取込手段が取り込んだ商品の画像から、当該商品に付帯されたポイント割増ラベルを検出し、このポイント割増ラベルに対応するポイント割増数を表したポイント情報を読み取るラベル読取手段と、前記ラベル読取手段が読み取ったポイント情報を出力する情報出力手段と、を備える。【選択図】図８
2012058790.tif 000002
【特許請求の範囲】
【請求項１】
撮像手段が撮像した画像を取り込む画像取込手段と、
前記画像取込手段が取り込んだ商品の画像から、当該商品に付帯されたポイント割増ラベルを検出し、ポイント割増数を表したポイント割増情報を読み取るラベル読取手段と、
前記ラベル読取手段が読み取ったポイント割増情報を出力する情報出力手段と、
を備えたことを特徴とする商品コード読取装置。
【請求項２】
前記商品の価格に応じたポイントを算出するとともに、前記ラベル読取手段が前記ポイント割増情報を読み取った場合に、当該ポイント割増情報に応じたポイント割増数を前記ポイントに加算する算出手段を更に備え、
前記情報出力手段は、前記算出手段が算出したポイントの値を示すポイント情報を出力することを特徴とする請求項１に記載の商品コード読取装置。
【請求項３】
前記画像取込手段が取り込んだ商品の画像から、当該商品に付帯されたコードシンボルを検出し、このコードシンボルに保持された商品コードを読み取るコード読取手段を更に備え、
前記情報出力手段は、前記コード読取手段が読み取った商品コードを出力することを特徴とする請求項１又は２に記載の商品コード読取装置。
【請求項４】
撮像手段が撮像した画像を取り込む画像取込手段と、
前記画像取込手段が取り込んだ商品の画像から、当該商品に付帯されたポイント割増ラベルを検出し、当該ポイント割増ラベルからポイントの割増数を表したポイント割増情報を読み取るラベル読取手段と、
前記商品の価格に応じたポイントを算出するとともに、前記ラベル読取手段が前記ポイント割増情報を読み取った場合に、当該ポイント割増情報に応じたポイント割増数を前記ポイントに加算する算出手段と、
一の取引に係る各商品について前記算出手段が算出したポイントを集計する集計手段と、
を備えたことを特徴とする商品情報処理装置。
【請求項５】
一の取引に係る各商品について前記算出手段が算出したポイントを出力するポイント出力手段を更に備えたことを特徴とする請求項４に記載の商品情報処理装置。
【請求項６】
商品コード読取装置のコンピュータを、
撮像手段が撮像した画像を取り込む画像取込手段と、
前記画像取込手段が取り込んだ商品の画像から、当該商品に付帯されたポイント割増ラベルを検出し、ポイント割増数を表したポイント割増情報を読み取るラベル読取手段と、
前記ラベル読取手段が読み取ったポイント割増情報を出力する情報出力手段と、
して機能させるためのプログラム。
【発明の詳細な説明】
【技術分野】
【０００１】
本発明の実施形態は、商品コード読取装置、商品情報処理装置及びプログラムに関する。
【背景技術】
【０００２】
従来、各種店舗において、顧客に対して商品の購入やサービスの利用に応じてポイントを発行するポイントサービス制度が利用されている。このポインサービス制度では、例えば、ポイント会員となった顧客に対して取引金額に応じたポイントを付与し、そのポイントをその店舗での次回以降の取引において利用できるものとしている。例えば、ポイント分の値引きやポイント分の商品との交換などに利用できるようにしている。これにより、顧客はポイントサービス制度の恩恵を受けることができる一方、店舗側は顧客の来店機会を増やして販売促進を図ることができる。
【０００３】
上記のポイントサービス制度では、例えば、店舗側は、会員番号等の会員識別情報を記憶したポイントカードを会員に発行するとともにポイント管理装置を用いることで、ポイント管理の効率化を図っている。例えば、店舗での精算時に、ポイント管理装置が、その取引におけるポイントを算出し、算出したポイントをポイントカードから得た会員識別情報に関連付けして記憶し、そのポイントを会員毎に管理するようにしている。
【０００４】
また、ポイントの割増数を表示したラベル（以下、ポイント割増ラベルという）を商品に貼付し、顧客にポイント割増商品であることを明示する販売方法がある。ＰＯＳ（Point  Of  Sales）端末のオペレータは、顧客が買上げる商品にポイント割増ラベルが貼付されている場合に、スキャナで当該商品のバーコードを読み取るとともに、キーボードやタッチパネルを操作することでポイント付与に関する処理を手動で行っている。
【発明の概要】
【発明が解決しようとする課題】
【０００５】
しかしながら、上記した従来の販売方法では、オペレータがポイント割増ラベルに気付かない場合、ポイント割増ラベルが貼付されたポイント割増対象の商品を通常のポイントで処理してしまう可能性があった。
【課題を解決するための手段】
【０００６】
実施の形態の商品コード読取装置は、画像取込手段と、ラベル読取手段と、情報出力手段とを備えている。画像取込手段は、撮像手段が撮像した画像を取り込む。ラベル読取手段は、画像取込手段が取り込んだ商品の画像から、当該商品に付帯されたポイント割増ラベルを検出し、このポイント割増ラベルに対応するポイント割増数を表したポイント情報を読み取る。情報出力手段は、ラベル読取手段が読み取ったポイント情報を出力する。
【図面の簡単な説明】
【０００７】
【図１】図１は、第１の実施形態に係る商品コード読取装置を備えたチェックアウトシステムの構成を概略的に示す斜視図である。
【図２】図２は、第１の実施形態に係るＰＯＳ端末及び商品コード読取装置の構成を示すブロック図である。
【図３】図３は、会員マスタファイルの一例を示す図である。
【図４】図４は、撮像部の撮像領域と商品との関係の一例を示す図である。
【図５】図５は、ポイント割増ラベルの他の例を示す図である。
【図６】図６は、ポイント割増ラベルの他の例を示す図である。
【図７】図７は、ラベル特徴ファイルを説明するための図である。
【図８】図８は、第１の実施形態の商品コード読取装置が行う情報出力処理の手順を示すフローチャートである。
【図９】図９は、第１の実施形態のＰＯＳ端末が行う売上登録処理の手順を示すフローチャートである。
【図１０】図１０は、第２の実施形態に係るＰＯＳ端末及び商品コード読取装置の構成を示すブロック図である。
【図１１】図１１は、第２の実施形態の商品コード読取装置が行う情報出力処理の手順を示すフローチャートである。
【図１２】図１２は、第２の実施形態のＰＯＳ端末が行う売上登録処理の手順を示すフローチャートである。
【発明を実施するための形態】
【０００８】
以下、チェックアウトシステムを例に、本実施形態にかかる商品コード読取装置、商品情報処理装置及びプログラムを説明する。本実施形態では、飲食店やスーパーマーケット等の店舗に導入されたチェックアウトシステムに適用した例について説明する。
【０００９】
［第１の実施形態］
図１は、第１の実施形態に係る商品コード読取装置２００を備えたチェックアウトシステムの構成を概略的に示す斜視図である。図１に示すように、チェックアウトシステムは、ＰＯＳ端末１００と商品コード読取装置２００とを備える。
【００１０】
ＰＯＳ端末１００は、顧客が購入する商品の販売登録を行うための商品情報処理装置であって、チェックアウト台１１に載置されている。ＰＯＳ端末１００は、キーボード１０１と、オペレータ用の表示器１０２と、顧客用の表示器１０３と、プリンタ１０４と、カードリーダ１０５と、ドロワ１０６とを備えている。なお、ＰＯＳ端末１００が備える各部については後述する。
【００１１】
また、チェックアウト台１１とＬ字を形成するようにして、横長テーブル状のカウンタ台１２が配置されている。カウンタ台１２の上面には、荷受面１３が形成されている。商品コード読取装置２００は、この荷受面１３に載置され、有線又は無線によりＰＯＳ端末１００との間で通信可能に接続されている。
【００１２】
商品コード読取装置２００は、商品に貼付されたコードシンボルを読み取って、該コードシンボルが含む商品コードをＰＯＳ端末１００に出力するための装置である。図１に示すように、商品コード読取装置２００は、読取窓２０１と、キーボード２０２と、オペレータ用の表示器２０３と、顧客用の表示器２０４とを備えている。なお、商品コード読取装置２００が備える各部については後述する。
【００１３】
荷受面１３には、後述するコードラベルやポイント割増ラベルが貼付された商品Ｇを収納する買物カゴ１４が載置される。買物カゴ１４は、顧客によって持ち込まれる第１の買物カゴ１４ａと、第１の買物カゴ１４ａから商品コード読取装置２００を挟んだ位置に載置される第２の買物カゴ１４ｂとに分別される。
【００１４】
顧客によって持ち込まれた第１の買物カゴ１４ａには、一取引にかかる商品Ｇが収納されている。商品Ｇには、バーコードや二次元コード等のコードシンボルを表したコードラベルや、ポイント付与数を表したポイント割増ラベルが貼付されている。コードシンボルには、商品Ｇに関する商品コードが符号化された状態で保持されている。ここで商品コードは、商品Ｇを特定するために各商品に割り当てられたコードであり、一例としてＪＡＮコードがある。
【００１５】
第１の買物カゴ１４ａ内の商品Ｇは、商品コード読取装置２００を操作するオペレータにより第２の買物カゴ１４ｂへと移動される。この移動過程で、コードラベル及びポイント割増ラベルが商品コード読取装置２００の読取窓２０１に向けられる。この際、読取窓２０１内に設けられた後述する撮像部２１６（図２参照）は、コードラベルやポイント割増ラベルを撮像する。
【００１６】
商品コード読取装置２００では、撮像部２１６で撮像された画像に含まれるコードシンボルやポイント割増ラベルを検出し、商品Ｇに関する商品コードやこの商品Ｇに関するポイント割増数を表したポイント割増情報を読み取る。なお、本実施形態ではコードシンボルとしてバーコードを用いた例を説明するが、これに限らず二次元コードを用いる形態としてもよい。
【００１７】
以下、チェックアウトシステムの構成について説明する。図２は、ＰＯＳ端末１００及び商品コード読取装置２００の構成を示すブロック図である。
【００１８】
まず、ＰＯＳ端末１００の構成について説明する。ＰＯＳ端末１００は、情報処理を実行するマイクロコンピュータとして、ＣＰＵ（Central  Processing  Unit）１１１、ＲＯＭ（Read  Only  Memory）１１２及びＲＡＭ（Random  Access  Memory）１１３を備えている。
【００１９】
ＣＰＵ１１１は、ＲＯＭ１１２や後述する記憶部１１４に記憶された各種プログラムを実行することにより、ＰＯＳ端末１００を総括的に制御する。ＲＯＭ１１２は、基本動作を行うためのプログラムが記憶される。ＲＡＭ１１３は、ＰＯＳ端末１００の主記憶装置であって、ＣＰＵ１１１のワークエリアとして機能する。
【００２０】
また、ＣＰＵ１１１には、各種の入出力回路（図示せず）を介して、上述したキーボード１０１、表示器１０２、表示器１０３、プリンタ１０４、カードリーダ１０５及びドロワ１０６が接続されている。
【００２１】
キーボード１０１は、ＰＯＳ端末１００を操作するオペレータから入力されたキーの情報（以下、キー情報という）をＣＰＵ１１１に通知する入力デバイスである。このキーボード１０１には、数字や演算子を入力するためのテンキーや、商品代金の決済に必要な「締め」キー等の各種操作キーが配設されている。
【００２２】
表示器１０２及び表示器１０３は、ＬＣＤ（Liquid  Crystal  Display）等の表示デバイスを有し、ＣＰＵ１１１の指示に基づいて商品の名称や価格等の各種の情報を表示する。ここで、表示器１０２は、ＰＯＳ端末１００を操作するオペレータ用の表示器であって、その表示面がオペレータに向けて配置されている（図１参照）。また、表示器１０３は、顧客用の表示器であって、その表示面が顧客に向けて配置されている（図１参照）。なお、表示器１０２をタッチパネル構成とすることで、キーボード１０１の全てのキー又は一部のキーをタッチパネル上に実現する形態としてもよい。
【００２３】
プリンタ１０４は、サーマルプリンタ等の印刷装置であって、ＣＰＵ１１１の制御に従い、レシートやジャーナル等を印字する。
【００２４】
カードリーダ１０５は、ポイントカードＣに記憶されている会員識別情報を読み出すものであり、本実施形態では、磁気カードリーダである。ここで、ポイントカードＣは、会員に対して発効された会員固有の会員識別情報を、読み出し可能に記憶しているものであり、本実施形態では、磁気テープに会員識別情報を記憶した磁気カードである。なお、カードリーダ１０５によりポイントカードＣから読み出された会員識別情報は、ＣＰＵ１１１の制御により、一取引の間ＲＡＭ１１３に保持されるものとする。
【００２５】
ドロワ１０６は、現金等を収容するためのキャッシュドロワであって、ＣＰＵ１１１の制御に従い開閉する。
【００２６】
また、ＣＰＵ１１１には、各種の入出力回路（図示せず）を介して、記憶部１１４及び通信Ｉ／Ｆ１１５が接続されている。
【００２７】
記憶部１１４は、ＨＤＤ（Hard  Disk  Drive）やフラッシュメモリ等の記憶媒体であって、ＣＰＵ１１１が実行可能なプログラムや各種ファイルを記憶している。記憶部１１４に記憶されるプログラムの一例は、商品販売データ処理用のプログラム１１４ａである。また、記憶部１１４に記憶されるファイルとしては、ＰＬＵファイル１１４ｂ、会員マスタファイル１１４ｃ及び売上ファイル１１４ｄ等である。
【００２８】
ＰＬＵファイル１１４ｂは、各商品に関する情報を保持するためのファイルである。具体的に、ＰＬＵファイル１１４ｂには、商品の種別を表わす部門コード、各商品にユニークに割り当てられた商品コード、その商品の名称及び価格を対応付けたレコードが保持されている。なお、ＰＬＵファイル１１４ｂに他の情報を対応付けて記憶する形態としてもよい。
【００２９】
会員マスタファイル１１４ｃは、各会員に付与されたポイント等を保持するためのファイルである。具体的に、会員マスタファイル１１４ｃには、図３に示すように、会員識別情報と累積ポイントとを対応付けたレコードが保持されている。ここで、累積ポイントには、その会員（会員識別情報）に付与されたポイントの累積値が格納される。なお、会員マスタファイル１１４ｃに記憶する情報は、図３の例に限らず、例えば会員の氏名や年齢、住所等の個人情報、ポイントの使用履歴等を記憶する形態としてもよい。
【００３０】
売上ファイル１１４ｄは、ＰＯＳ端末１００での会計処理により、下記取引で購入された商品の商品コードや数量、金額、ポイント数等の売上情報を格納するファイルである。
【００３１】
通信Ｉ／Ｆ１１５は、商品コード読取装置２００とデータ通信を行うためのインタフェースである。ＣＰＵ１１１は、この通信Ｉ／Ｆ１１５を介し、商品コード読取装置２００との間で種々のデータを送受信する。
【００３２】
また、ＰＯＳ端末１００のＣＰＵ１１１は、ＲＯＭ１１２又は記憶部１１４に記憶されたプログラムとの協働により、図２に示すように、決済処理部１２１、ポイント算出部１２２及びポイント集計部１２３として機能する。
【００３３】
決済処理部１２１は、商品コード読取装置２００からから商品コードの入力を受け付けると、この商品コードに対応するレコードをＰＬＵファイル１１４ｂから読み出し、後述するポイント算出部１２２が算出したポイントとともに表示器１０２及び表示器１０３に表示出力する。また、決済処理部１２１は、ＰＬＵファイル１１４ｂから読み出した各商品のレコードを、ポイント算出部１２２が算出したポイントとともに会計対象商品として販売登録を行う。ここで、販売登録とは、ＰＬＵファイル１１４ｂから読み出した各商品のレコードを、その商品の購入数等と関連付けてＲＡＭ１１３に保持することを意味する。
【００３４】
また、決済処理部１２１は、キーボード１０１の「締め」キーの入力に応じて、販売登録した各商品の価格及び販売個数から全商品の購入金額を算出し、後述するポイント集計部１２３が集計したポイント数とともに、表示器１０２及び表示器１０３への表示出力や、プリンタ１０４からのレシート出力を行う。そして、決済処理部１２１は、算出した購入金額を、販売登録した各商品の商品コードや購入数、金額及び後述するポイント集計部１２３が算出したポイント総数等とともに、一取引分の取引内容として売上ファイル１１４ｄに登録する。
【００３５】
ポイント算出部１２２は、取引の内容に応じたポイントを算出するための機能部である。具体的に、ポイント算出部１２２は、販売登録の対象となる各商品について、その商品の価格に応じたポイントを算出する。以下、商品の価格から直接導出されるポイントを通常ポイントという。なお、各商品の価格に対する通常ポイントの還元率は予め定められているものとする。
【００３６】
また、ポイント算出部１２２は、商品コード読取装置２００から商品コードと後述するポイント割増情報との組を受け付けた場合、このポイント割増情報に応じたポイント割増数を通常ポイントに加算する。
【００３７】
ポイント集計部１２３は、キーボード１０１の「締め」キーの入力に応じ、一の取引で販売登録された各商品についてポイント算出部１２２が算出したポイントを、販売個数等に基づいて集計する。また、ポイント集計部１２３は、会員マスタファイル１１４ｃにアクセスし、集計したポイントの総数を、ポイント付与対象となる会員の会員識別情報に対応付けられた累積ポイントに加算する。
【００３８】
次に、商品コード読取装置２００の構成について説明する。図２に示すように、商品コード読取装置２００は、情報処理を実行するマイクロコンピュータとして、ＣＰＵ２１１、ＲＯＭ２１２及びＲＡＭ２１３を備えている。
【００３９】
ＣＰＵ２１１は、ＲＯＭ２１２に記憶された各種プログラムを実行することにより、商品コード読取装置２００を総括的に制御する。ＲＯＭ２１２は、基本動作を行うためのプログラムが記憶される。ＲＡＭ２１３は、商品コード読取装置２００の主記憶装置であって、ＣＰＵ２１１のワークエリアとして機能する。
【００４０】
また、ＣＰＵ２１１には、各種の入出力回路（図示せず）を介して、上述したキーボード２０２、表示器２０３及び表示器２０４が接続されている。
【００４１】
キーボード２０２は、商品コード読取装置２００を操作するオペレータから入力されたキー情報をＣＰＵ２１１に通知する入力デバイスである。このキーボード２０２は、主にバーコードで登録不能な商品の登録を行う場合に用いられる。
【００４２】
表示器２０３及び表示器２０４は、ＬＣＤ等の表示デバイスを有し、ＣＰＵ２１１の指示に基づいて商品の名称や価格等の各種の情報を表示する。ここで、表示器２０３は、商品コード読取装置２００を操作するオペレータ用の表示器であって、その表示面がオペレータに向けて配置されている（図１参照）。また、表示器２０４は、顧客用の表示器であって、その表示面が顧客に向けて配置されている（図１参照）。なお、表示器２０３をタッチパネル構成とすることで、キーボード２０２の全てのキー又は一部のキーを該タッチパネル上に実現する形態としてもよい。
【００４３】
また、ＣＰＵ２１１には、各種の入出力回路（図示せず）を介して、通信Ｉ／Ｆ２１４、計時部２１５、撮像部２１６及び記憶部２１７が接続されている。
【００４４】
通信Ｉ／Ｆ２１４は、ＰＯＳ端末１００とデータ通信を行うためのインタフェースである。ＣＰＵ２１１は、この通信Ｉ／Ｆ２１４を介し、ＰＯＳ端末１００との間で種々のデータを送受信する。計時部２１５は、ＲＴＣ等の計時装置であって、現在日時（時間）をＣＰＵ２１１に出力する。
【００４５】
撮像部２１６は、ＣＣＤ（Charge  Coupled  Device）やＣＭＯＳ（Complementary  Metal  Oxide  Semiconductor）等のイメージセンサであって、図１に示した読取窓２０１内に設けられている。また、撮像部２１６は、ＣＰＵ２１１の制御に従い、商品に付帯されたコードシンボルやポイント割増ラベルを撮像する。
【００４６】
ここで、図４を参照して、撮像部２１６の撮像領域と商品Ｇとの関係について説明する。図４は、撮像部２１６の撮像領域と商品Ｇとの関係の一例を示す図である。図中２点鎖線で囲った領域は、撮像部２１６が１フレームで撮像できる領域である撮像領域２１６ａである。また、図４に示す商品Ｇには、コードラベルＣＬに加え、ポイント割増ラベルＰＬ１が貼付されている。
【００４７】
コードラベルＣＬには、商品名「豚バラうす切り」や商品価格「２００円」の他、コードシンボルとしてバーコードＢＣ等が表されている。バーコードＢＣの下部には、このバーコードＢＣに組み込まれている商品コードの数値「２１０１２３４５６７８９０」が表されている。
【００４８】
また、ポイント割増ラベルＰＬ１には、商品Ｇを購入した顧客（会員）に対して、「１０ポイント」分の割増を提供することが表示されている。なお、ポイント割増ラベルは、ポイント割増ラベルＰＬ１の例に限らず、図５に示すように、通常ポイントに対するポイントの割増率（２倍）を表示したポイント割増ラベルＰＬ２等としてもよい。
【００４９】
また、図６に示すように、ロゴタイプ等をポイント割増ラベルＰＬ３として用いる形態としてもよい。この場合、ポイント割増ラベルＰＬ３となるロゴタイプは、商品Ｇのパッケージに予め印刷されたものを用いる形態としてもよく、例えば、商品Ｇを製造・販売する企業の標識（商標）や、特定の商品名を表す標識（商標）をポイント割増ラベルＰＬ３として用いることができる。
【００５０】
図２に戻り、記憶部２１７は、ＨＤＤやフラッシュメモリ等の記憶媒体であって、ＣＰＵ２１１が実行可能なプログラム２１７ａや、各種ファイルを記憶している。ここで、記憶部２１７に記憶されるプログラム２１７ａは、撮像部２１６の制御用プログラムや、コードシンボル読取用のプログラム、ＯＣＲやパターンマッチング等の画像や文字認識用のプログラム等である。また、記憶部２１７は、商品コード読取装置２００の動作に必要なファイルとして、ラベル特徴ファイル２１７ｂを記憶している。ここで、ラベル特徴ファイル２１７ｂは、各ポイント割増ラベルの特徴とポイントの割増数とを対応付けて保持している。
【００５１】
図７は、ラベル特徴ファイル２１７ｂを説明するための図である。同図に示すように、ラベル特徴ファイル２１７ｂは、ポイント割増ラベルが含む文字やシンボル、ロゴマーク等の特徴を示したラベル特徴データと、当該ポイント割増ラベルによるポイントの割増数を表したポイント割増情報とを対応付けて記憶している。
【００５２】
より詳細には、ラベル特徴データとは、ポイント割増ラベルからパターン認識やＯＣＲ等の認識処理によって抽出される情報である。即ち、図４に示すように、「１０ポイント」と記載されたポイント割増ラベルＰＬ１については、図７のラベル特徴ファイル２１７ｂにおいてＮｏ．１のラベル特徴データに示すように、「１０、ポイント」という情報がパターン認識や文字認識処理によって抽出される。また、図５に示すように、「ポイント２倍」と記載されたポイント割増ラベルＰＬ２については、図７のラベル特徴ファイル２１７ｂにおいてＮｏ．２のラベル特徴データに示すように、「ポイント、２、倍」という情報がパターン認識や文字認識処理によって抽出される。また、図６に示すロゴマークのポイント割増ラベルＰＬ３については、図７のラベル特徴ファイル２１７ｂにおいてＮｏ．３のラベル特徴データに示すように、そのロゴマークの形状を特徴付けるラスタデータやベクトルデータがパターン認識や文字認識処理によって抽出される。
【００５３】
また、ポイント割増情報とは、ポイント割増ラベルが表すポイント割増数を、ＰＯＳ端末１００の販売登録処理において使用できるよう英数値に変換した情報のことである、即ち、図７に示すように、ラベル特徴データ「１０、ポイント」に対しては、１０ポイントのポイント割増を意味するポイント割増情報「＋１０Ｐ」が対応付けて記憶されている。また、ラベル特徴データ「ポイント、２、倍」に対しては、通常のポイント付与数を２倍に割増することを意味するポイント割増情報「×２Ｐ」が対応付けて記憶されている。また、図６に示すロゴマークと同形状のラベル特徴データに対しては、５ポイントのポイント割増を意味するポイント割増情報「＋５Ｐ」が対応付けて記憶されている。
【００５４】
次に、商品コード読取装置２００が有する特徴的な機能について説明する。ＣＰＵ２１１は、ＲＯＭ２１２又は記憶部２１７が記憶するプログラムとの協働により、図２に示すように、画像データ取込部２２１、コード読取部２２２、ラベル読取部２２３及び情報出力部２２４を実現させる。
【００５５】
画像データ取込部２２１は、撮像部２１６に撮像オン信号を出力することで撮像部２１６に撮像動作を開始させる。画像データ取込部２２１は、撮像部２１６が撮像した撮像領域２１６ａ内の画像データを取り込んで、ＲＡＭ２１３に格納する。また、画像データ取込部２２１は、ラベル読取部２２３の指示を受けた場合に、撮像部２１６が撮像した撮像領域２１６ａ内の画像データを取り込んで、ＲＡＭ２１３に格納する。
【００５６】
コード読取部２２２は、画像データ取込部２２１がＲＡＭ２１３に格納した画像データから、バーコードＢＣの画像を検出し、検出したバーコードＢＣから商品コードを読み取るバーコード読取処理を行う。具体的に、コード読取部２２２は、ＲＡＭ２１３に格納された１フレームの画像データを二値化し、この二値化したデータ内にバーコードに関するデータ領域が存在するか否かを検出する。コード読取部２２２は、バーコードに関するデータ領域を検出した場合には、そのバーコードをデコードし、デコードしたデータを商品Ｇの商品コードとして読み取る。そして、コード読取部２２２は、読み取った商品コードをＲＡＭ２１３に格納する。
【００５７】
ラベル読取部２２３は、画像データ取込部２２１がＲＡＭ２１３の画像ワークエリアに格納した１フレームの画像データから、ポイント割増ラベルの画像を検出するラベル読取処理を行う。このラベル読取処理では、ラベル読取部２２３は、パターン認識やＯＣＲ文字認識によりポイント割増ラベルが含む文字や絵やシンボル等の特徴と、ラベル特徴ファイル２１７ｂのラベル特徴データ（図７参照）とを照合し、一致度の高いラベル特徴データを検出した場合に、ポイント割増ラベルを検出したと判定する。そして、ラベル読取部２２３は、ポイント割増ラベルの画像を検出すると、この検出したラベル特徴データに対応するポイント割増情報をラベル特徴ファイル２１７ｂから読み取る。そして、ラベル読取部２２３は、読み取ったポイント割増情報をＲＡＭ２１３に格納する。
【００５８】
さらに、ラベル読取部２２３は、計時部２１５が計時する時間に基づき、ラベル読取処理を実行する時間を制限する。具体的に、ラベル読取部２２３は、ラベル読取処理の実行時に、計時部２１５が計時する時間に基づいて、該ラベル読取処理の実行時間（例えば、５秒等）となるタイムアウト時間の計時を開始する。そして、ラベル読取部２２３は、ポイント割増ラベルを検出していない場合であっても、タイムアウト時間に到達するまではラベル読取処理を継続して実行し、画像データ取込部２２１に対して画像取り込みを行うよう指示して、撮像部２１６が撮像した撮像領域２１６ａ内の画像データを新たに取り込む処理を行わせる。このようにすることで、商品コード読取装置２００のオペレータは、ラベル読取処理が実行される所定時間の間、商品Ｇを撮像部２１６によって複数回撮像することができる。
【００５９】
情報出力部２２４は、コード読取部２２２が読み取った商品コード、ラベル読取部２２３が読み取ったポイント割増情報を、通信Ｉ／Ｆ２１４を介してＰＯＳ端末１００に送信（出力）出力する。具体的に、情報出力部２２４は、ＲＡＭ２１３に格納された情報が商品コードのみの場合、この商品コードをＰＯＳ端末１００に出力する。また、情報出力部２２４は、ＲＡＭ２１３に商品コードとポイント割増情報とが格納されている場合、この商品コードとポイント割増情報とをＰＯＳ端末１００に出力する。
【００６０】
例えば、図４に示すように、商品Ｇに１０ポイント付与するポイント割増ラベルＰＬ１が貼付されていた場合、ラベル読取部２２３は、ポイント割増ラベルＰＬ１に該当するポイント割増情報「＋１０Ｐ」をラベル特徴ファイル２１７ｂから読み取り、ＲＡＭ２１３に格納する。従って、商品コード読取装置２００からは、「２１０１２３４５６７８９０」を表わす商品コードと、「＋１０Ｐ」を表わすポイント割増情報との組がＰＯＳ端末１００に出力されることになる。
【００６１】
次に、図８及び図９を参照して、本実施形態のチェックアウトシステムの動作について説明する。ここで、図８は、商品コード読取装置２００が行う情報出力処理の手順を示すフローチャートである。
【００６２】
商品コード読取装置２００のＣＰＵ２１１は、ＰＯＳ端末１００からの信号により取引開始が指示されると、情報出力処理を開始する。画像データ取込部２２１は、撮像部２１６に撮像オン信号を出力し、撮像部２１６による撮像動作を開始する（ステップＳ１１）。画像データ取込部２２１は、撮像部２１６が撮像した画像データをＲＡＭ２１３に取り込む（ステップＳ１２）。そして、コード読取部２２２は、上述したバーコード読取処理を開始する（ステップＳ１３）。
【００６３】
コード読取部２２２は、ステップＳ１３のバーコード読取処理においてバーコードを検出したか否かを判定する（ステップＳ１４）。バーコードを検出することができない場合には（ステップＳ１４；Ｎｏ）、ステップＳ１２に再び戻り、撮像部２１６による撮像を継続する。
【００６４】
バーコードを検出した場合（ステップＳ１４：Ｙｅｓ）、ラベル読取部２２３は、計時部２１５が計時する時間に基づき、タイムアウト時間の計時を開始する（ステップＳ１５）。続いて、ラベル読取部２２３は、ステップＳ１２でＲＡＭ２１３に取り込まれた画像データに対して、ラベル読取処理を開始する（ステップＳ１６）。そして、ラベル読取部２２３は、ステップＳ１７のラベル読取処理においてポイント割増ラベルを検出したか否かを判定する（ステップＳ１７）。
【００６５】
ここで、ポイント割増ラベルを検出できない場合（ステップＳ１７；Ｎｏ）、ラベル読取部２２３は、タイムアウト時間に到達したか否かを判定する（ステップＳ１８）。タイムアウト時間に到達していない場合（ステップＳ１８；Ｎｏ）、ラベル読取部２２３は、画像データ取込部２２１を制御して画像データの取り込みを新たに行う（ステップＳ１９）。そして、ラベル読取部２２３は、ステップＳ１６に戻ることで、新たに取り込まれた画像データに対してラベル読取処理を実行する。
【００６６】
また、タイムアウト時間に到達したと判定した場合（ステップＳ１８；Ｙｅｓ）、情報出力部２２４は、ステップＳ１３のバーコード読取処理によりＲＡＭ２１３に格納された商品コードを、通信Ｉ／Ｆ２１４を介してＰＯＳ端末１００に送信し（ステップＳ２０）、ステップＳ２２に移行する。
【００６７】
また、タイムアウト時間に到達する前にポイント割増ラベルが検出された場合（ステップＳ１７：Ｙｅｓ）、情報出力部２２４は、ステップＳ１３のバーコード読取処理及びステップＳ１６のラベル読取処理によりＲＡＭ２１３に格納された商品コード及びポイント割増情報を、通信Ｉ／Ｆ２１４を介してＰＯＳ端末１００に送信し（ステップＳ２１）、ステップＳ２２に移行する。
【００６８】
ステップＳ２２において、ＣＰＵ２１１は、ＰＯＳ端末１００からの信号により取引終了が指示されたか否かを判定する（ステップＳ２２）。取引終了が指示されない場合には（ステップＳ２２；Ｎｏ）、ステップＳ１２に再び戻り、ステップＳ１２〜Ｓ２２を全ての商品の販売登録が完了するまで繰り返し実行する。また、取引終了が指示された場合には（ステップＳ２２；Ｙｅｓ）、画像データ取込部２２１は、撮像部２１６に撮像オフ信号を出力し（ステップＳ２３）、撮像部２１６による撮像動作を停止する。
【００６９】
次に、図９を参照して、ＰＯＳ端末１００が行う売上登録処理について説明する。ここで、図９は、ＰＯＳ端末１００が行う売上登録処理の手順を示すフローチャートである。
【００７０】
まず、ＰＯＳ端末１００のＣＰＵ１１１は、キーボード１０１の所定のキー操作に応じて、取引開始を指示する信号を商品コード読取装置２００に送信する（ステップＳ３１）。続いて、決済処理部１２１は、商品コード読取装置２００から商品コードが入力されるまで待機する（ステップＳ３２；Ｎｏ）。ここで、商品コードの入力を受け付けると（ステップＳ３２；Ｙｅｓ）、カウンタ台１２は、この商品コードに対応するレコード（商品名、価格等）をＰＬＵファイル１１４ｂから読み出す（ステップＳ３３）。
【００７１】
ポイント算出部１２２は、ステップＳ３３で読み出されたレコードに基づき、その商品の価格に応じた通常ポイントを算出する（ステップＳ３４）。次いで、ポイント算出部１２２は、ステップＳ３２で入力された商品コードとともに、ポイント割増情報の入力を受け付けたか否かを判定する（ステップＳ３５）。ここで、ポイント割増情報の入力が確認できない場合（ステップＳ３５；Ｎｏ）、ステップＳ３７に移行する。
【００７２】
また、ステップＳ３５において、商品コードとともにポイント割増情報の入力を受け付けたと判定した場合（ステップＳ３５；Ｙｅｓ）、ポイント算出部１２２は、ステップＳ３４で算出した通常ポイントに対して、ポイント割増情報に応じたポイント割増数を加算し（ステップＳ３６）、ステップＳ３７に移行する。
【００７３】
例えば、商品コード読取装置２００から入力されたポイント割増情報が「＋１０Ｐ」の場合には、商品コードが表わす商品の価格に応じた通常ポイントに１０ポイントを加算する。また、商品コード読取装置２００から入力されたポイント割増情報が「×２Ｐ」の場合には、商品コードが表わす商品の価格に応じた通常ポイントを２倍に割増する。
【００７４】
ステップＳ３７において、決済処理部１２１は、ステップＳ３３で読み出したレコードと、ポイント算出部１２２が算出したポイントとに基づいて販売登録を行う（ステップＳ３７）。このとき、決済処理部１２１は、販売登録した内容を表示器１０２や表示器１０３に表示することで、ポイント算出部１２２が算出したポイントを表示出力する。
【００７５】
次いで、ＣＰＵ１１１は、キーボード１０１から「締め」キーを表わすキー情報の入力を受け付けたか否かを判定する（ステップＳ３８）。ステップＳ３８において、「締め」キーの入力を確認できない場合（ステップＳ３８；Ｎｏ）、決済処理部１２１は、ステップＳ３２に再び戻り、商品コードの入力を待機する。また、ステップＳ３８において、「締め」キーの入力を受け付けた場合（ステップＳ３８；Ｙｅｓ）、ポイント集計部１２３は、ＲＡＭ１１３を参照し、会員識別情報の入力が行われているか否かを判定する（ステップＳ３９）。
【００７６】
ここで、会員識別情報の入力が行われていないと判定した場合（ステップＳ３９；Ｎｏ）、ステップＳ４２に移行する。一方、会員識別情報の入力が行われていると判定した場合（ステップＳ３９；Ｙｅｓ）、ポイント集計部１２３は、各商品に付与されたポイントを販売個数に基づいて集計する（ステップＳ４０）。そして、ポイント集計部１２３は、集計したポイント総数を、会員識別情報に対応する会員マスタファイル１１４ｃの累積ポイントに加算し（ステップＳ４１）、ステップＳ４２に移行する。
【００７７】
続いて、決済処理部１２１は、これまでに販売登録された商品の価格及び販売個数に基づいて全商品の購入金額を算出すると、この購入金額とともに、これら商品の商品コードや数量、金額等を一取引分の取引内容として売上ファイル１１４ｄに登録する（ステップＳ４２）。なお、会員識別情報の入力が行われていた場合には、その会員識別情報及びポイント算出部１２２が集計したポイント総数を取引内容に含めて売上ファイル１１４ｄに登録するものとする。
【００７８】
次いで、決済処理部１２１は、売上ファイル１１４ｄに登録した取引内容を、プリンタ１０４を用いて印字することで、一取引分の取引内容やポイント集計部１２３が集計したポイント総数をレシート出力する（ステップＳ４３）。そして、ＣＰＵ１１１は、取引の終了を指示する信号を通信Ｉ／Ｆ１１５を介し商品コード読取装置２００に送信し（ステップＳ４４）、本処理を終了する。
【００７９】
以上のように、本実施形態のチェックアウトシステムでは、撮像部２１６により撮像されたポイント割増ラベルからポイント割増情報を読み取り、このポイント情報に基づいてポイントの割増付与を行うことができるため、ポイント割増ラベルに基づくポイント付与を効率的に行うことできる。
【００８０】
［第２の実施形態］
次に、第２の実施形態について説明する。本実施形態では、商品コード読取装置側にて各商品についてのポイントを算出することが可能な形態について説明する。なお、上述した第１の実施形態と同様の要素については、同一の符号を付与し説明を省略する。
【００８１】
図１０は、第２の実施形態に係るＰＯＳ端末３００及び商品コード読取装置４００の構成を示すブロック図である。なお、ＰＯＳ端末３００と商品コード読取装置４００との配置関係は、図１に示した態様と同様である。
【００８２】
図１０に示すように、ＰＯＳ端末３００は、上述したＰＯＳ端末１００と同様のハードウェア構成を備えている。ＰＯＳ端末３００のＣＰＵ１１１は、ＲＯＭ１１２又は記憶部１１４に記憶されたプログラムとの協働により、本実施形態に特有の機能部である決済処理部３０１と、ポイント集計部３０２を実現する。
【００８３】
決済処理部３０１は、商品コード読取装置４００から商品コード及び後述するポイント情報の入力を受け付けると、この商品コードに対応するレコードをＰＬＵファイル１１４ｂから読み出し、ポイント情報が表す値（ポイント数）とともに表示器１０２及び表示器１０３に表示出力する。また、決済処理部３０１は、ＰＬＵファイル１１４ｂから読み出したレコードを、ポイント情報及びその商品の販売個数等と関連付け、ＲＡＭ１１３に保持することで販売登録を行う。
【００８４】
また、決済処理部３０１は、キーボード１０１の「締め」キーの入力に応じて、販売登録した各商品の価格及び販売個数から全商品の購入金額を算出し、後述するポイント集計部３０２が集計したポイント数とともに、表示器１０２及び表示器１０３への表示出力や、プリンタ１０４からのレシート出力を行う。そして、決済処理部３０１は、算出した購入金額を、販売登録した各商品の商品コードや購入数、金額及び後述するポイント集計部３０２が算出したポイント総数等とともに、一取引分の取引内容として売上ファイル１１４ｄに登録する。
【００８５】
ポイント集計部３０２は、キーボード１０１の「締め」キーの入力時に、各商品について販売登録されたポイントを販売個数に基づいて集計する。また、ポイント集計部３０２は、会員マスタファイル１１４ｃにアクセスし、集計したポイントの総数を、ポイント付与対象となる会員の会員識別情報に対応する累積ポイントに加算する。
【００８６】
商品コード読取装置４００は、上述した商品コード読取装置２００と同様のハードウェア構成を備えている。ここで、記憶部２１７は、ラベル特徴ファイル２１７ｂに加え、上述したＰＬＵファイル１１４ｂを記憶している。
【００８７】
また、商品コード読取装置４００のＣＰＵ２１１は、ＲＯＭ２１２又は記憶部２１７に記憶されたプログラムとの協働により、上述した画像データ取込部２２１、コード読取部２２２及びラベル読取部２２３を実現させるとともに、本実施形態に特有の機能部であるポイント算出部４０１及び情報出力部４０２を実現させる。
【００８８】
ポイント算出部４０１は、コード読取部２２２が読み取った商品コードに対応する商品の価格を、記憶部２１７のＰＬＵファイル１１４ｂから読み出し、その価格に応じたポイント（通常ポイント）を算出する。また、ポイント算出部４０１は、ラベル読取部２２３がポイント割増情報を読み取った場合に、このポイント割増情報に応じたポイント割増数を通常ポイントに加算することでポイントの割増しを行う。
【００８９】
情報出力部４０２は、コード読取部２２２が読み取った商品コードとともに、ポイント算出部４０１が算出したポイントを表すポイント情報を、通信Ｉ／Ｆ２１４を介してＰＯＳ端末３００に送信（出力）する。
【００９０】
次に、図１１及び図１２を参照して、本実施形態のチェックアウトシステムの動作について説明する。ここで、図１１は、商品コード読取装置４００が行う情報出力処理の手順を示すフローチャートである。
【００９１】
商品コード読取装置４００のＣＰＵ２１１は、ＰＯＳ端末３００からの信号により取引開始が指示されると、情報出力処理を開始する。ここで、ステップＳ５１〜Ｓ５４の処理は、上述したステップＳ１１〜Ｓ１４と同様であるため説明を省略する。
【００９２】
ステップＳ５４において、コード読取部２２２がバーコードＢＣを検出した場合（ステップＳ５４：Ｙｅｓ）、ポイント算出部４０１は、このバーコードＢＣが表す商品コードに対応する商品の価格を記憶部２１７のＰＬＵファイル１１４ｂから読み出し（ステップＳ５５）、この価格に応じた通常ポイントを算出する（ステップＳ５６）。
【００９３】
次いで、ラベル読取部２２３は、計時部２１５が計時する時間に基づき、タイムアウト時間の計時を開始すると（ステップＳ５７）、ステップＳ５２でＲＡＭ２１３に取り込まれた画像データに対して、ラベル読取処理を開始する（ステップＳ５８）。そして、ラベル読取部２２３は、ステップＳ５８のラベル読取処理においてポイント割増ラベルを検出したか否かを判定する（ステップＳ５９）。
【００９４】
ここで、ポイント割増ラベルを検出できない場合（ステップＳ５９；Ｎｏ）、ラベル読取部２２３は、タイムアウト時間に到達したか否かを判定する（ステップＳ６０）。タイムアウト時間に到達していない場合（ステップＳ６０；Ｎｏ）、ラベル読取部２２３は、画像データ取込部２２１を制御して画像データの取り込みを新たに行う（ステップＳ６１）。そして、ラベル読取部２２３は、ステップＳ５８に戻ることで、新たに取り込まれた画像データに対してラベル読取処理を実行する。
【００９５】
また、タイムアウト時間に到達する前にポイント割増ラベルが検出された場合（ステップＳ５９：Ｙｅｓ）、ポイント算出部４０１は、このポイント割増ラベルのポイント割増情報に応じたポイント割増数をステップＳ５６で算出した通常ポイントに加算し（ステップＳ６２）、ステップＳ６３に移行する。なお、タイムアウト時間に到達したと判定した場合には（ステップＳ６０；Ｙｅｓ）、ステップＳ６３に直ちに移行する。
【００９６】
ステップＳ６３において、情報出力部４０２は、コード読取部２２２が読み取った商品コードと、ポイント算出部４０１が算出したポイントの値を表すポイント情報とを、通信Ｉ／Ｆ２１４を介してＰＯＳ端末３００に送信（出力）する（ステップＳ６３）。
【００９７】
次いで、ＣＰＵ２１１は、ＰＯＳ端末３００からの信号により取引終了が指示されたか否かを判定する（ステップＳ６４）。取引終了が指示されない場合には（ステップＳ６４；Ｎｏ）、ステップＳ５２に再び戻り、ステップＳ５２〜Ｓ６４を全ての商品の販売登録が完了するまで繰り返し実行する。また、取引終了が指示された場合には（ステップＳ６４；Ｙｅｓ）、画像データ取込部２２１は、撮像部２１６に撮像オフ信号を出力し（ステップＳ６５）、撮像部２１６による撮像動作を停止する。
【００９８】
次に、図１２を参照して、ＰＯＳ端末３００が行う売上登録処理について説明する。ここで、図１２は、ＰＯＳ端末３００が行う売上登録処理の手順を示すフローチャートである。
【００９９】
まず、ＰＯＳ端末３００のＣＰＵ１１１は、キーボード１０１の所定のキー操作に応じて、取引開始を指示する信号を商品コード読取装置４００に送信する（ステップＳ７１）。続いて、決済処理部３０１は、商品コード読取装置４００から商品コード及びポイント情報が入力されるまで待機する（ステップＳ７２；Ｎｏ）。
【０１００】
決済処理部３０１は、商品コード及びポイント情報の入力を受け付けると（ステップＳ７２；Ｙｅｓ）、この商品コードに対応するレコード（商品名、価格等）を記憶部１１４のＰＬＵファイル１１４ｂから読み出す（ステップＳ７３）。そして、決済処理部３０１は、ステップＳ７３で読み出したレコードと、ステップＳ７２で受け付けたポイント情報とに基づいて販売登録を行う（ステップＳ７４）。
【０１０１】
次いで、ＣＰＵ１１１は、キーボード１０１から「締め」キーを表わすキー情報の入力を受け付けたか否かを判定する（ステップＳ７５）。ステップＳ７５において、「締め」キーの入力が確認できない場合（ステップＳ７５；Ｎｏ）、決済処理部３０１は、ステップＳ７２に再び戻り、商品コードの入力を待機する。また、ステップＳ７５において、ＣＰＵ１１１が「締め」キーの入力を受け付けた場合（ステップＳ７５；Ｙｅｓ）、ポイント集計部３０２は、ＲＡＭ１１３を参照し、会員識別情報が存在するか否か、即ちポイントカード（会員識別情報）の読み取りが行われているか否かを判定する（ステップＳ７６）。
【０１０２】
ここで、会員識別情報が存在しないと判定した場合（ステップＳ７６；Ｎｏ）、ステップＳ７９に直ちに移行する。一方、会員識別情報が存在すると判定した場合（ステップＳ７６；Ｙｅｓ）、ポイント集計部３０２は、各商品について販売登録されたポイント（ポイント情報）を販売個数に基づいて集計する（ステップＳ７７）。次いで、ポイント集計部３０２は、集計したポイント総数を、会員識別情報に対応する会員マスタファイル１１４ｃの累積ポイントに加算し（ステップＳ７８）、ステップＳ７９に移行する。
【０１０３】
続いて、決済処理部３０１は、これまでに販売登録された商品の価格及び販売個数に基づいて全商品の購入金額を算出すると、この購入金額とともに、これら商品の商品コードや数量、金額等を一取引分の取引内容として売上ファイル１１４ｄに登録する（ステップＳ７９）。なお、会員識別情報の入力が行われていた場合には、その会員識別情報及びポイント集計部３０２が集計したポイント総数を取引内容に含めて売上ファイル１１４ｄに登録するものとする。
【０１０４】
次いで、決済処理部３０１は、売上ファイル１１４ｄに登録した取引内容を、プリンタ１０４を用いて印字することで、一取引分の取引内容やポイント集計部３０２が集計したポイント総数をレシート出力する（ステップＳ８０）。そして、ＣＰＵ１１１は、取引の終了を指示する信号を通信Ｉ／Ｆ１１５を介し商品コード読取装置４００に送信し（ステップＳ８１）、本処理を終了する。
【０１０５】
以上のように、本実施形態によれば、本実施形態のチェックアウトシステムでは、撮像部２１６により撮像されたポイント割増ラベルからポイント情報を読み取り、このポイント情報に基づいてポイントの割増付与を行うことができるため、ポイント割増ラベルに基づくポイント付与を効率的に行うことできる。また、商品コード読取装置４００にて、通常ポイントの算出及びポイント割増付与を行うことができるため、ポイント付与に係るＰＯＳ端末３００の負荷を軽減することができる。
【０１０６】
以上、本発明の実施形態について説明したが、本発明はこれに限定されるものではなく、本発明の主旨を逸脱しない範囲での種々の変更、置換、追加等が可能である。
【０１０７】
例えば、上記実施形態では、ＰＬＵファイル１１４ｂ、会員マスタファイル１１４ｃ及び売上ファイル１１４ｄを、ＰＯＳ端末１００（ＰＯＳ端末３００）内に記憶する形態としたが、これに限らず、ＰＯＳ端末１００（ＰＯＳ端末３００）がアクセス可能な外部装置にこれらのファイルを記憶する形態としてもよい。
【０１０８】
また、上記実施形態では、会員マスタファイル１１４ｃにポイントの累積値を保持する形態としたが、これに限らず、ポイントカードＣ自体にポイントの累積値を保持することが可能な場合には、このポイントカードＣが保持する累積値にポイントを加算する形態としてもよい。
【０１０９】
また、上記第２実施形態では、ＰＬＵファイル１１４ｂを、商品コード読取装置４００内に記憶する形態としたが、これに限らず、ＰＯＳ端末３００が保持するＰＬＵファイル１１４ｂを参照する形態としてもよいし、商品コード読取装置４００がアクセス可能な外部装置にＰＬＵファイル１１４ｂを記憶する形態としてもよい。
【０１１０】
また、上記実施形態のＰＯＳ端末１００（ＰＯＳ端末３００）及び商品コード読取装置２００（商品コード読取装置４００）で実行されるプログラムを、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録して提供するように構成してもよい。
【０１１１】
また、上記実施形態のＰＯＳ端末１００（ＰＯＳ端末３００）及び商品コード読取装置２００（商品コード読取装置４００）で実行されるプログラムを、インターネット等のネットワークに接続されたコンピュータ上に格納し、ネットワーク経由でダウンロードさせることにより提供するように構成してもよい。また、上記実施形態のＰＯＳ端末１００（ＰＯＳ端末３００）及び商品コード読取装置２００（商品コード読取装置４００）で実行されるプログラムを、インターネット等のネットワーク経由で提供又は配布するように構成してもよい。
【符号の説明】
【０１１２】
１１  チェックアウト台
１２  カウンタ台
１３  荷受面
１４、１４ａ、１４ｂ  買物カゴ
１００  ＰＯＳ端末
１０１  キーボード
１０２  表示器
１０３  表示器
１０４  プリンタ
１０５  カードリーダ
１０６  ドロワ
１１１  ＣＰＵ
１１２  ＲＯＭ
１１３  ＲＡＭ
１１４  記憶部
１１４ａ  プログラム
１１４ｂ  ＰＬＵファイル
１１４ｃ  会員マスタファイル
１１４ｄ  売上ファイル
１１５  通信Ｉ／Ｆ
１２１  決済処理部
１２２  ポイント算出部
１２３  ポイント集計部
２００  商品コード読取装置
２０１  読取窓
２０２  キーボード
２０３  表示器
２０４  表示器
２１１  ＣＰＵ
２１２  ＲＯＭ
２１３  ＲＡＭ
２１４  通信Ｉ／Ｆ
２１５  計時部
２１６  撮像部
２１７  記憶部
２１７ａ  プログラム
２１７ｂ  ラベル特徴ファイル
２２１  画像データ取込部
２２２  コード読取部
２２３  ラベル読取部
２２４  情報出力部
３００  ＰＯＳ端末
３０１  決済処理部
３０２  ポイント集計部
４００  商品コード読取装置
４０１  ポイント算出部
４０２  情報出力部
【先行技術文献】
【特許文献】
【０１１３】
【特許文献１】特開２００６−５３９３３公報
【図１】
2012058790.tif 000003
【図２】
2012058790.tif 000004
【図３】
2012058790.tif 000005
【図４】
2012058790.tif 000006
【図５】
2012058790.tif 000007
【図６】
2012058790.tif 000008
【図７】
2012058790.tif 000009
【図８】
2012058790.tif 000010
【図９】
2012058790.tif 000011
【図１０】
2012058790.tif 000012
【図１１】
2012058790.tif 000013
【図１２】
2012058790.tif 000014